(57)【要約】      （修正有）【課題】保守監視制御信号のモニタ装置を接続する際に、保守監視制御信号が中断されることがなく、また、光拡張親局装置と光拡張子局装置の間における保守監視制御信号のモニタを行うことができる光信号伝送システムを提供する。【解決手段】光拡張親局装置は、上位局との間で無線信号を送受信する親局無線部と、光拡張子局装置との間で光信号を送受信する親局光送受部と、電気信号と光信号を変換する親局光変換部とを備え、光拡張子局装置は、下位局との間で無線信号を送受信する子局無線部と、光拡張親局装置との間で光信号を送受信する子局光送受部と、電気信号と光信号を変換する子局光変換部とを備え、光拡張親局装置と光拡張子局装置の少なくとも一方は、上位局からの保守監視信号又は下位局からの監視応答信号をモニタ装置へ出力するモニタ出力部を備えるように構成する。【選択図】図１
2012205177.tif 000002
【特許請求の範囲】
【請求項１】
上位局と光拡張親局装置とを無線により接続し、前記光拡張親局装置と光拡張子局装置とを光ファイバケーブルにより接続し、前記光拡張子局装置と下位局とを無線により接続する光信号伝送システムであって、
前記光拡張親局装置は、上位局との間で無線信号を送受信する親局無線部と、前記光拡張子局装置との間で光信号を送受信する親局光送受部と、前記親局無線部からの電気信号を光信号へ変換し、前記親局光送受部からの光信号を電気信号へ変換する親局光変換部と、前記親局無線部を含む前記親局の各構成部を制御する親局制御部とを備え、
前記光拡張子局装置は、下位局との間で無線信号を送受信する子局無線部と、前記光拡張親局装置との間で光信号を送受信する子局光送受部と、前記子局無線部からの電気信号を光信号へ変換し、前記子局光送受部からの光信号を電気信号へ変換する子局光変換部と、前記子局無線部を含む前記子局の各構成部を制御する子局制御部とを備え、
前記光拡張親局装置と前記光拡張子局装置の少なくとも一方は、上位局からの保守監視信号又は下位局からの監視応答信号をモニタ装置へ出力するモニタ出力部を備えることを特徴とする光信号伝送システム。
【発明の詳細な説明】
【技術分野】
【０００１】
本発明は、移動体通信における不感地帯をカバーするための、光ファイバケーブルで接続された光信号伝送システムに関し、特に、光拡張親局と光拡張子局が光ファイバケーブルで接続された光信号伝送システムにおいて、基地局等から送信される保守監視信号を、光拡張親局や光拡張子局でモニタすることのできる光信号伝送システムに関するものである。
【背景技術】
【０００２】
近年、移動体通信において、無線電波が届かないトンネル内や地下街等の不感地帯をカバーし、低コストで通信エリアを拡大できる光信号伝送システムが多く用いられるようになっている。従来の光信号伝送システムについて、図８を用いて説明する。図８は、従来技術の光信号伝送システムの構成例を示す。
図８において、音声やデータの通信を行うために、無線基地局であるＢＴＳ（Base  Transceiver  Station）１７０と光拡張親局装置１１０との間が無線伝送インタフェース１により接続され、光拡張親局装置１１０と光拡張子局装置１３０との間が光ファイバ３により接続され、光拡張子局装置１３０と親局装置１５０との間が無線伝送インタフェース４により接続され、親局装置１５０と子局装置１６０との間が光ファイバ６により接続されている。子局装置１６０は、移動局（不図示）との間で、無線通信を行うものである。
例えば、光拡張親局装置１１０を電波の届く地上に設置し、光拡張子局装置１３０を電波の届かない地下街に設置することにより、地下街に設置した子局装置１６０と親局装置１５０と光拡張子局装置１３０、および地上に設置した光拡張親局装置１１０を介して、移動局とＢＴＳ１７０との間で、音声やデータの通信を行うことができる。
【０００３】
また、図８において、ＢＴＳ１７０と光拡張親局装置１１０との間は、無線又は有線による保守監視制御インタフェース２により接続され、光拡張子局装置１３０と親局装置１５０との間は、無線による保守監視制御インタフェース５により接続されている。
ＢＴＳ１７０は、光拡張親局装置１１０や光拡張子局装置１３０、親局装置１５０や子局装置１６０の装置動作チェックや装置状態チェックを行い、あるいは装置状態変化等を監視するための保守監視制御信号を、光拡張親局装置１１０へ無線又は有線で送信する。
ＢＴＳ１７０から出力された保守監視制御信号は、保守監視制御インタフェース２を介して光拡張親局装置１１０へ無線送信され、次に、光ファイバ３を介して光拡張子局装置１３０へ光伝送され、次に、保守監視制御インタフェース５を介して親局装置１５０へ無線送信され、次に、光ファイバ６や光ファイバ７を介して子局装置１６０へ光伝送される。
【０００４】
保守監視制御信号を受信した光拡張親局装置１１０、光拡張子局装置１３０、親局装置１５０、子局装置１６０では、保守監視制御信号の内容に基づき、装置動作チェックや装置状態チェック等を行い、その結果に基づき、監視応答信号を作成し出力する。
【０００５】
子局装置１６０から出力された監視応答信号は、光ファイバ６や光ファイバ７を介して親局装置１５０へ光伝送される。次に、子局装置１６０から出力された監視応答信号と親局装置１５０から出力された監視応答信号は、保守監視制御インタフェース５を介して光拡張子局装置１３０へ無線送信される。次に、子局装置１６０と親局装置１５０から出力された監視応答信号と光拡張子局装置１３０から出力された監視応答信号は、光ファイバ３を介して光拡張親局装置１１０へ光伝送される。次に、子局装置１６０と親局装置１５０と光拡張子局装置１３０から出力された監視応答信号と光拡張親局装置１１０から出力された監視応答信号は、保守監視制御インタフェース２を介してＢＴＳ１７０へ無線又は有線で送信される。
【０００６】
ＢＴＳ１７０と光拡張親局装置１１０の間の保守監視制御インタフェース２は、シリアルインタフェースであり、シリアルモニタ１２１等の市販の専用モニタ装置が接続されている。シリアルモニタ１２１は、ＢＴＳ１７０からの保守監視制御信号やＢＴＳ１７０への監視応答信号をモニタするものであり、保守監視制御インタフェース２に直列に挿入して接続する。そのため、シリアルモニタ１２１を接続する際は、一時的にではあるが、保守監視制御信号や監視応答信号が中断されることになる。
また、この方法では、光拡張親局装置１１０と光拡張子局装置１３０の間における保守監視制御信号や監視応答信号のモニタができない。
【０００７】
下記の特許文献１には、無線高周波信号を光伝送親局装置から光ファイバーで不感区域の光伝送子局装置に伝送する移動体通信用光伝送装置において、光伝送子局装置に送受信増幅装置を接続し、光伝送子局装置と送受信増幅装置との間で監視制御信号の授受を行う技術が記載されている。
【先行技術文献】
【特許文献】
【０００８】
【特許文献１】特開２００３‐２３３９６公報
【発明の概要】
【発明が解決しようとする課題】
【０００９】
上述したように、従来方法の場合、保守監視制御信号や監視応答信号のモニタ装置を接続する際に、保守監視制御信号や監視応答信号が中断される、あるいは、光拡張親局装置と光拡張子局装置の間における保守監視制御信号や監視応答信号のモニタができないという課題があった。
本発明は、このような従来の課題を解決するために為されたもので、保守監視制御信号や監視応答信号のモニタ装置を接続する際に、保守監視制御信号や監視応答信号が中断されることのない光信号伝送システム、あるいは、光拡張親局装置と光拡張子局装置の間における保守監視制御信号や監視応答信号のモニタを行うことのできる光信号伝送システムを提供することを目的とする。
【課題を解決するための手段】
【００１０】
上記課題を解決するための、本願発明の代表的な構成は、次のとおりである。すなわち、
上位局と光拡張親局装置とを無線により接続し、前記光拡張親局装置と光拡張子局装置とを光ファイバケーブルにより接続し、前記光拡張子局装置と下位局とを無線により接続する光信号伝送システムであって、
前記光拡張親局装置は、上位局との間で無線信号を送受信する親局無線部と、前記光拡張子局装置との間で光信号を送受信する親局光送受部と、前記親局無線部からの電気信号を光信号へ変換し、前記親局光送受部からの光信号を電気信号へ変換する親局光変換部と、前記親局無線部を含む前記親局の各構成部を制御する親局制御部とを備え、
前記光拡張子局装置は、下位局との間で無線信号を送受信する子局無線部と、前記光拡張親局装置との間で光信号を送受信する子局光送受部と、前記子局無線部からの電気信号を光信号へ変換し、前記子局光送受部からの光信号を電気信号へ変換する子局光変換部と、前記子局無線部を含む前記子局の各構成部を制御する子局制御部とを備え、
前記光拡張親局装置と前記光拡張子局装置の少なくとも一方は、上位局からの保守監視信号又は下位局からの監視応答信号をモニタ装置へ出力するモニタ出力部を備えることを特徴とする光信号伝送システム。
【発明の効果】
【００１１】
本願発明によれば、保守監視制御信号や監視応答信号のモニタ装置を接続する際に、保守監視制御信号や監視応答信号が中断されることがなく、あるいは、光拡張親局装置と光拡張子局装置の間における保守監視制御信号や監視応答信号のモニタを行うことができる。
【図面の簡単な説明】
【００１２】
【図１】本発明に係る光信号伝送システムの構成例を示す図である。
【図２】本発明に係る光拡張親局装置の機能ブロック構成例を示す図である。
【図３】本発明に係る光拡張子局装置の機能ブロック構成例を示す図である。
【図４】本発明に係るＣＰＲＩプロトコルスタックの構成例を示す図である。
【図５】本発明に係る光信号伝送システムのソフトウエア構成例を示す図である。
【図６】本発明に係る光拡張親局装置や光拡張子局装置と、ＢＴＳや親局装置との間のデータフローの構成例を示す図である。
【図７】本発明に係る光拡張親局装置や光拡張子局装置におけるのデータフローの構成例を示す図である。
【図８】従来の光信号伝送システムの構成例を示す図である。
【発明を実施するための形態】
【００１３】
本発明の実施形態の一例である光信号伝送システムについて、図１を参照しながら説明する。図１は、本発明に係る光信号伝送システムの構成例を示す図である。図１において図８と異なるものは、光拡張親局装置１０、光拡張子局装置３０、イーサネットケーブル５１、イーサネットケーブル５２、モニタ装置５３、モニタ装置５４であり、それ以外は図８と同じものなので説明を適宜省略する。ここでは、光信号伝送システムは、主に、光拡張親局装置１０、光拡張子局装置３０、イーサネットケーブル５１、イーサネットケーブル５２、モニタ装置５３、モニタ装置５４、光ファイバ３から構成される。
【００１４】
図１において、ＢＴＳ１７０は光拡張親局装置１０の上位局であり、親局装置１５０は光拡張子局装置３０の下位局である。ＢＴＳ１７０と光拡張親局装置１０との間が、音声やデータの通信を行うための無線伝送インタフェース１により接続され、光拡張親局装置１０と光拡張子局装置３０との間が光ファイバ３により接続され、光拡張子局装置３０と親局装置１５０との間が無線伝送インタフェース４により接続され、親局装置１５０と子局装置１６０との間が光ファイバ６や光ファイバ７により接続されている。子局装置１６０は、移動局（不図示）との間で、無線通信を行うものである。
【００１５】
また、図１において、ＢＴＳ１７０と光拡張親局装置１０との間は、無線又は有線による保守監視制御インタフェース２により接続され、光拡張子局装置３０と親局装置１５０との間は、無線による保守監視制御インタフェース５により接続されている。
光拡張親局装置１０内のイーサネットコネクタ１９には、保守監視制御信号や監視応答信号を表示するモニタ装置５３が、イーサネットケーブル５１により接続されている。また、光拡張子局装置３０内のイーサネットコネクタ３９には、保守監視制御信号や監視応答信号を表示するモニタ装置５４が、イーサネットケーブル５２により接続されている。モニタ装置５３、２４は、パーソナルコンピュータ（以下、ＰＣと称す。）、又は専用のパケットモニタで構成される。このようにして、本実施形態では、モニタ装置５３、５４に、保守監視制御信号や監視応答信号のモニタ出力を行う。このモニタ出力のやり方については後述する。
【００１６】
次に、光拡張親局装置１０の機能ブロック構成例を、図２を用いて説明する。図２は、本発明に係る光拡張親局装置の機能ブロック構成例を示す図である。
図２に示すように、光拡張親局装置１０は、上位局であるＢＴＳ１７０との間で無線信号を送受信する親局無線部２２と、光拡張子局装置３０との間で光信号を送受信する親局光送受部２４と、親局無線部２２からの電気信号を光信号へ変換し、親局光送受部２４からの光信号を電気信号へ変換する親局光変換部２３と、上位局から受信した保守監視信号及び光拡張子局装置３０から受信した監視応答信号をモニタ装置５３へ出力する親局モニタ出力部２５と、親局無線部２２、親局光送受部２４、親局光変換部２３、親局モニタ出力部２５など、光拡張親局装置１０の各構成部を制御する親局制御部２１と、親局記憶部２６とを備えている。ここで本構成例では、親局無線部２２によりＢＴＳ１７０と通信を行うこととしたが、無線部ではなく通信部として同軸ケーブル等の有線にてＢＴＳ１７０との通信を行うようにしてもよい。
【００１７】
次に、光拡張子局装置３０の機能ブロック構成例を、図３を用いて説明する。図３は、本発明に係る光拡張子局装置の機能ブロック構成例を示す図である。
図３に示すように、光拡張子局装置３０は、下位局である親局装置１５０との間で無線信号を送受信する子局無線部４２と、光拡張親局装置１０との間で光信号を送受信する子局光送受部４４と、子局無線部４２からの電気信号を光信号へ変換し、子局光送受部４４からの光信号を電気信号へ変換する子局光変換部４３と、光拡張親局装置１０から受信した保守監視信号及び下位局である親局装置１５０から受信した監視応答信号をモニタ装置５３へ出力する子局モニタ出力部４５と、子局無線部４２、子局光送受部４４、子局光変換部４３、子局モニタ出力部４５など、光拡張子局装置３０の各構成部を制御する子局制御部４１と、子局記憶部４６とを備えている。
【００１８】
親局光変換部２３と子局光変換部４３は、それぞれ、高周波電気信号（ＲＦ信号）を、レーザダイオード（ＬＤ：Laser Diode）により光信号に変換する電気−光変換部（Ｅ／Ｏ、不図示）と、光信号を、光ダイオード（ＰＤ：Photo Diode）により高周波電気信号に変換する光−電気変換部（Ｏ／Ｅ、不図示）とを備えている。
【００１９】
図１において、音声やデータの通信を行う際の動作を説明する。
ＢＴＳ１７０は、ＢＴＳ１７０から移動局へ向かう下り回線においては、音声やデータを高周波電気信号である無線信号として、無線伝送インタフェース１を介して光拡張親局装置１０へ出力する。また、移動局からＢＴＳ１７０へ向かう上り回線においては、光拡張親局装置１０からの音声やデータの無線信号を、無線伝送インタフェース１を介して受信する。
【００２０】
光拡張親局装置１０は、下り回線においては、ＢＴＳ１７０から親局無線部２２で受信した無線信号を親局光変換部２３でデジタル光信号に変換し、親局光送受部２４から光拡張子局装置３０へ出力する。また、上り回線においては、光拡張子局装置３０から親局光送受部２４で受信したデジタル光信号を親局光変換部２３で電気信号に変換し、親局無線部２２からＢＴＳ１７０へ出力する。
光拡張子局装置３０は、下り回線においては、光拡張親局装置１０から子局光送受部４４で受信したデジタル光信号を子局光変換部４３で電気信号に変換し、子局無線部４２から親局装置１５０へ出力する。また、上り回線においては、親局装置１５０から子局無線部４２で受信した無線信号を子局光変換部４３でデジタル光信号に変換し、子局光送受部４４から光拡張親局装置１０へ出力する。
【００２１】
親局装置１５０は、下り回線においては、光拡張子局装置３０からの無線信号をデジタル光信号に変換し、複数の子局装置１６０へ出力する。また、上り回線においては、複数の子局装置１６０からのデジタル光信号を無線信号に変換し、光拡張子局装置３０へ出力する。
子局装置１６０は、下り回線においては、親局装置１５０からのデジタル光信号を無線信号に変換し、子局装置１６０のアンテナ（不図示）から移動局へ出力する。また、上り回線においては、子局装置１６０のアンテナ（不図示）を介して受信した移動局からの無線信号をデジタル光信号に変換し、親局装置１５０へ出力する。移動局は、通常、複数存在する。
【００２２】
次に、図１において、保守監視制御信号や監視応答信号の送受信を行う際の動作を説明する。
ＢＴＳ１７０は、保守監視制御インタフェース２を介して、保守監視制御信号を無線信号として、光拡張親局装置１０へ送信する。この保守監視制御信号は、光拡張親局装置１０や光拡張子局装置３０、親局装置１５０や子局装置１６０の装置動作チェックや装置状態チェックを行い、あるいは装置状態変化等を監視するためのものである。
ＢＴＳ１７０から無線で出力された保守監視制御信号は、光拡張親局装置１０の親局無線部２２で受信され、親局光変換部２３でデジタル光信号へ変換され、親局光送受部２４から光ファイバ３を介して光拡張子局装置３０へ光伝送される。次に、光拡張子局装置３０において、子局光送受部４４で受信されたデジタル光信号は、子局光変換部４３で電気信号へ変換され、子局無線部４２から保守監視制御インタフェース５を介して親局装置１５０へ無線送信される。次に、親局装置１５０において、無線信号からデジタル光信号へ変換され、光ファイバ６や光ファイバ７を介して子局装置１６０へ光伝送される。
【００２３】
保守監視制御信号を受信した光拡張親局装置１０、光拡張子局装置３０、親局装置１５０、子局装置１６０では、それぞれの制御部において、保守監視制御信号の内容に基づき、装置動作チェックや装置状態チェック等を行い、その結果に基づき、それぞれ、監視応答信号を作成し出力する。
【００２４】
子局装置１６０からデジタル光信号で出力された監視応答信号は、光ファイバ６や光ファイバ７を介して親局装置１５０へ出力される。親局装置１５０は、子局装置１６０から出力された監視応答信号と親局装置１５０で作成された監視応答信号を集約し、親局装置１５０からの監視応答信号として、保守監視制御インタフェース５を介して、無線により光拡張子局装置３０へ出力する。
光拡張子局装置３０は、親局装置１５０からの監視応答信号（子局装置１６０からの監視応答信号を含む）と光拡張子局装置３０で作成された監視応答信号を集約し、光拡張子局装置３０からの監視応答信号として、デジタル光信号により光ファイバ３を介して光拡張親局装置１０へ出力する。
光拡張親局装置１０は、光拡張子局装置３０からの監視応答信号（子局装置１６０と親局装置１５０からの監視応答信号を含む）と光拡張親局装置１０で作成された監視応答信号を集約し、光拡張親局装置１０からの監視応答信号として、保守監視制御インタフェース２を介して、無線によりＢＴＳ１７０へ出力する。
【００２５】
光信号伝送システムを構成する光拡張親局装置１０と光拡張子局装置３０との間は、光ファイバ３により接続され、標準仕様であるＣＰＲＩ（Common  Public  Radio  Interface）によって、リンクが行われている。図４に、ＣＰＲＩプロトコルスタックの構成例を示す。図４に示すＣＰＲＩプロトコルスタックのうち、レイヤ２（Layer２）のＨＤＬＣ（High-level Data Link Control procedure）をＢＴＳとの保守監視制御信号として使用することが多い。本実施形態においても、ＨＤＬＣと、上位レイヤにおけるＣ＆Ｍ‐Ｐｌａｎｅ（Control＆Management‐Plane）を、保守監視制御信号として使用する。
【００２６】
次に、光拡張親局装置１０や光拡張子局装置３０からモニタ装置５３、５４に対し、保守監視制御信号や監視応答信号のモニタ出力を行うやり方について、図５ないし図７を用いて説明する。図５は、本発明に係る光信号伝送システムのソフトウエア構成例を示す図である。図６は、本発明に係る光拡張親局装置や光拡張子局装置と、ＢＴＳや親局装置との間のデータフローの構成例を示す図である。図７は、本発明に係る光拡張親局装置や光拡張子局装置におけるデータフローの構成例を示す図である。
【００２７】
図５において、（１）ＢＴＳ１７０からの保守監視制御信号は、光拡張親局装置１０において、シリアルコネクタ１１、シリアルドライバ１３を経て、アプリケーション（Application）１５にて処理が行われた後、ＣＰＲＩドライバ１６を経て、（２）光ファイバ３を介して光拡張子局装置３０へ伝送される。このとき、図４に示したＨＤＬＣにより、光拡張親局装置１０のＣＰＲＩ１７から光拡張子局装置３０のＣＰＲＩ３７へ伝送される。
アプリケーション１５の処理においては、ＢＴＳ１７０からの保守監視制御信号の種別や内容が調べられ、例えば光拡張親局装置１０に対する装置動作チェック指示であれば、光拡張親局装置１０は該指示に従って動作し、自身の装置動作チェックや装置状態チェックを行って、その結果を監視応答信号として作成する。光拡張子局装置３０や親局装置１５０等の下位局に対する指示であれば、光拡張子局装置３０へ保守監視制御信号を送信する。アプリケーション１５を含め、図５に示す光拡張親局装置１０のソフトウエア処理は、親局制御部２１により行われる。
【００２８】
光拡張親局装置１０において、ＢＴＳ１７０からの保守監視制御信号は、図６の６４に示すように、先頭にシリアルヘッダ、次に電文（データ）、最後に誤り検出符号であるＣＲＣ（Cyclic Redundancy Check）が付加されたフォーマットで送信されてくる。光拡張親局装置１０からＢＴＳ１７０へ送信する監視応答信号のフォーマットも同様である。保守監視制御信号の電文（データ）は、保守監視制御信号であることを示す識別部と、監視制御指示内容を示す指示部とから構成され、親局記憶部２６に記憶される。
シリアルヘッダは、シリアル信号であることを受信側に認識させるためのものである。シリアルヘッダとＣＲＣは、シリアルドライバ１３で削除され、図６の６２や６１に示すように、ミドルウエア１４やアプリケーション１５には、電文（データ）のみが送られる。シリアルドライバ１３は、ＢＴＳ１７０からの下り信号に対しては、シリアルヘッダとＣＲＣを削除し、ＢＴＳ１７０への上り信号に対しては、シリアルヘッダとＣＲＣを付加する。
【００２９】
また、光拡張親局装置１０において、アプリケーション１５からミドルウエア１４に渡された電文（データ）６２は、図７の７３に示すように、ＣＰＲＩドライバ１６において先頭にＣＰＲＩヘッダが付加される。ＣＰＲＩヘッダは、ＣＰＲＩプロトコルに基づくデータであることを受信側に認識させるためのものである。ＣＰＲＩドライバ１６は、ＢＴＳ１７０からの下り信号に対しては、ＣＰＲＩヘッダを付加し、ＢＴＳ１７０への上り信号に対しては、ＣＰＲＩヘッダを削除する。
【００３０】
光拡張子局装置３０では、（３）ＣＰＲＩ３７からＣＰＲＩドライバ３６を経て、アプリケーション３５にて処理が行われた後、シリアルドライバ３３を経て、（４）シリアルコネクタ３１から、親局装置１５０へ伝送する。アプリケーション３５の処理においては、ＢＴＳ１７０からの保守監視制御信号の種別や内容が調べられ、例えば光拡張子局装置３０に対する装置動作チェック指示であれば、光拡張子局装置３０は該指示に従って動作し、自身の装置動作チェックや装置状態チェックを行って、その結果を監視応答信号として作成する。親局装置１５０等の下位局に対する指示であれば、親局装置１５０へ保守監視制御信号を送信する。アプリケーション３５の処理を含め、図５に示す光拡張子局装置３０のソフトウエア処理は、子局制御部４１により行われる。
このとき、光拡張子局装置３０のＣＰＲＩドライバ３６において、図７の７２に示すように、電文（データ）の先頭のＣＰＲＩヘッダが削除されて、ミドルウエア１４を介しアプリケーション１５に渡される。ＣＰＲＩドライバ３６は、下り信号に対しては、ＣＰＲＩヘッダを削除し、上り信号に対しては、ＣＰＲＩヘッダを付加する。次に、光拡張子局装置３０のシリアルドライバ３３において、図６の６３に示すように、シリアルヘッダとＣＲＣが付加され、ＯＳ４４を介して、親局装置１５０へ伝送される。シリアルドライバ３３は、下り信号に対しては、シリアルヘッダとＣＲＣを付加し、上り信号に対しては、シリアルヘッダとＣＲＣを削除する。
【００３１】
親局装置１５０では、ＢＴＳ１７０からの保守監視制御信号の種別や内容に応じて、監視応答信号を作成し、光拡張子局装置３０へ応答する。
例えば、ＢＴＳ１７０からの保守監視制御信号が、親局装置１５０の装置動作チェックや装置状態チェックを要求するものである場合は、親局装置１５０は、親局装置１５０の装置動作チェックや装置状態チェックを行って、その結果を監視応答信号として作成する。
あるいは、ＢＴＳ１７０からの保守監視制御信号が、子局装置１６０の装置動作チェックや装置状態チェックを要求するものである場合は、親局装置１５０は、子局装置１６０へ保守監視制御信号を伝送し、子局装置１６０に装置動作チェックや装置状態チェックを行わせ、その結果を子局装置１６０から受信し、それに基づき監視応答信号として作成する。
また、ＢＴＳ１７０からの保守監視制御信号が、親局装置１５０と子局装置１６０の両方の装置動作チェックや装置状態チェックを要求するものである場合は、親局装置１５０は、親局装置１５０のチェック結果と子局装置１６０のチェック結果を集約し、それに基づき監視応答信号として作成する。
【００３２】
光拡張子局装置３０では、親局装置１５０からの出力データに対して、（５）シリアルコネクタ３１からシリアルドライバ３３を経て、アプリケーション３５にて処理が行われた後、ＣＰＲＩドライバ３６を経て、ＣＰＲＩ３７から（６）光拡張親局装置１０へ伝送する。アプリケーション３５の処理においては、親局装置１５０からの監視応答信号の内容が調べられ、必要に応じ、親局装置１５０からの監視応答信号と光拡張子局装置３０で作成された監視応答信号とが集約されて、光拡張子局装置３０からの監視応答信号として作成される。
【００３３】
光拡張親局装置１０では、（７）ＣＰＲＩ１７からＣＰＲＩドライバ１６を経て、アプリケーション１５にて処理が行われた後、シリアルドライバ１３を経て、（８）シリアルコネクタ１１から、ＢＴＳ１７０へ伝送する。アプリケーション１５の処理においては、光拡張子局装置３０からの監視応答信号の内容が調べられ、必要に応じ、光拡張子局装置３０からの監視応答信号と光拡張親局装置１０で作成された監視応答信号とが集約されて、光拡張親局装置１０からの監視応答信号として作成される。
【００３４】
本実施形態においては、光拡張親局装置１０のＣＰＲＩドライバ１６において、下り信号と上り信号を、イーサネットドライバ１８用の専用メモリへ転送し、該専用メモリの内容をイーサネットドライバ１８が、イーサネットコネクタ１９からモニタ装置５３へ出力する。このようにして、ＣＰＲＩドライバ１６からモニタ装置５３へ保守監視制御信号と監視応答信号を出力する。イーサネットドライバ１８用の専用メモリは、親局記憶部２６の一部である。主に、イーサネットドライバ１８、イーサネットコネクタ１９から、親局モニタ出力部２５が構成される。
また、光拡張子局装置３０のＣＰＲＩドライバ３６において、下り信号と上り信号を、イーサネットドライバ３８用の専用メモリへ転送し、該専用メモリの内容をイーサネットドライバ３８が、イーサネットコネクタ３９からモニタ装置５４へ出力する。このようにして、ＣＰＲＩドライバ３６からモニタ装置５４へ保守監視制御信号と監視応答信号を出力する。イーサネットドライバ３８用の専用メモリは、子局記憶部４６の一部である。主に、イーサネットドライバ３８、イーサネットコネクタ３９から、子局モニタ出力部４５が構成される。
なお、本実施形態においては、光拡張親局装置１０と光拡張子局装置３０のそれぞれに、親局モニタ出力部２５あるいは子局モニタ出力部４５を設けたが、光拡張親局装置１０と光拡張子局装置３０のいずれか一方のみにモニタ出力部を設けるようにしてもよい。
【００３５】
このとき、イーサネットドライバ１８やイーサネットドライバ３８において、図７の７４に示すように、イーサネットヘッダ、ＩＰヘッダ、ＴＣＰ／ＵＤＰヘッダが付加される。イーサネットヘッダは、イーサネットプロトコルに基づくデータであることを受信側に認識させるためのものである。ＩＰヘッダは、ＩＰパケット長、送信元アドレス、宛先アドレス等を通知する制御情報である。ＴＣＰ／ＵＤＰヘッダは、ＩＰパケット同様、ＴＣＰ，ＵＤＰにおいて、送信元ポートや宛先ポート等の情報を通知するための制御情報である。
【００３６】
イーサネットコネクタ１９やイーサネットコネクタ３９から出力されたデータは、モニタ装置５３やモニタ装置５４において解析され、そのデータが保守監視制御信号や監視応答信号であると判定されると、モニタ装置５３やモニタ装置５４に設定された所定の表示フォーマットに従って表示される。
なお、ＣＰＲＩドライバ１６やＣＰＲＩドライバ３６からイーサネットドライバ１８やイーサネットドライバ３８へ保守監視制御信号や監視応答信号のデータを転送するか否かのフラグを光拡張親局装置１０の親局記憶部２６や光拡張子局装置３０の子局記憶部４６に設けておき、保守用のメンテナンスツールから、上記フラグを制御するようにしてもよい。このようにすると、保守監視制御信号や監視応答信号をモニタ出力する必要のない通常運用時には、ＣＰＲＩドライバ１６やＣＰＲＩドライバ３６からイーサネットドライバ１８やイーサネットドライバ３８へ保守監視制御信号や監視応答信号のデータを転送しないようにして処理オーバーヘッドを軽減し、保守時にのみ保守監視制御信号や監視応答信号のデータを転送するようにすることができる。なお、メンテナンスツールは、例えば、モニタ装置５３やモニタ装置５４で構成してもよいし、他のＰＣ等で構成してもよい。
【００３７】
なお、なお、本発明は、前記実施形態に限定されるものではなく、その要旨を逸脱しない範囲で種々に変更が可能であることはいうまでもない。前記実施形態では、親局装置を介して光拡張子局装置と子局装置を接続したが、光拡張子局装置と子局装置との間で直接無線通信可能なように構成してもよい。
また、本発明は、本発明に係る処理を実行するシステムとしてだけでなく、装置、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
【００３８】
本明細書には、少なくとも次の発明が含まれる。
第１の発明は、
上位局と光拡張親局装置とを無線により接続し、前記光拡張親局装置と光拡張子局装置とを光ファイバケーブルにより接続し、前記光拡張子局装置と下位局とを無線により接続する光信号伝送システムであって、
前記光拡張親局装置は、上位局との間で無線信号を送受信する親局無線部と、前記光拡張子局装置との間で光信号を送受信する親局光送受部と、前記親局無線部からの電気信号を光信号へ変換し、前記親局光送受部からの光信号を電気信号へ変換する親局光変換部と、前記親局無線部を含む前記親局の各構成部を制御する親局制御部とを備え、
前記光拡張子局装置は、下位局との間で無線信号を送受信する子局無線部と、前記光拡張親局装置との間で光信号を送受信する子局光送受部と、前記子局無線部からの電気信号を光信号へ変換し、前記子局光送受部からの光信号を電気信号へ変換する子局光変換部と、前記子局無線部を含む前記子局の各構成部を制御する子局制御部とを備え、
前記光拡張親局装置と前記光拡張子局装置の少なくとも一方は、上位局からの保守監視信号又は下位局からの監視応答信号をモニタ装置へ出力するモニタ出力部を備えることを特徴とする光信号伝送システム。
このように構成すると、保守監視制御信号や監視応答信号のモニタ装置を接続する際に、保守監視制御信号や監視応答信号が中断されることがなく、あるいは、光拡張親局装置と光拡張子局装置の間における保守監視制御信号や監視応答信号のモニタを行うことができる。
【００３９】
第２の発明は、
前記第１の発明の光信号伝送システムであって、
前記光拡張親局装置が、上位局から受信した保守監視信号及び前記光拡張子局装置から受信した監視応答信号を親局モニタ装置へ出力する親局モニタ出力部を備え、
前記光拡張子局装置が、前記光拡張親局装置から受信した保守監視信号及び下位局から受信した監視応答信号を子局モニタ装置へ出力する子局モニタ出力部を備えることを特徴とする光信号伝送システム。
このように構成すると、光拡張親局装置と光拡張子局装置の両方において、保守監視制御信号や監視応答信号のモニタを行うことができる。
【００４０】
第３の発明は、
前記第２の発明の光信号伝送システムであって、
前記親局モニタ出力部は、親局イーサネットドライバ、親局イーサネットコネクタを含むよう構成され、前記親局制御部内のＣＰＲＩドライバから親局イーサネットドライバへ保守監視制御信号及び監視応答信号が転送され、
前記子局モニタ出力部は、子局イーサネットドライバ、子局イーサネットコネクタを含むよう構成され、前記子局制御部内のＣＰＲＩドライバから子局イーサネットドライバへ保守監視制御信号及び監視応答信号が転送されることを特徴とする光信号伝送システム。
このように構成すると、光拡張親局装置と光拡張子局装置の両方において、保守監視制御信号や監視応答信号のモニタ出力を容易に行うことができる。
【符号の説明】
【００４１】
１…無線伝送インタフェース、２…保守監視制御インタフェース、３…光ファイバ、４…無線伝送インタフェース、５…保守監視制御インタフェース、６…光ファイバ、７…光ファイバ、１０…光拡張親局装置、１１…シリアルコネクタ、１２…ＯＳ、１３…シリアルドライバ、１４…ミドルウエア、１５…アプリケーション、１６…ＣＰＲＩドライバ、１７…ＣＰＲＩ、１８…イーサネットドライバ、１９…イーサネットコネクタ、２１…親局制御部、２２…親局無線部、２３…親局光変換部、２４…親局光送受部、２５…親局モニタ出力部、２６…親局記憶部、３０…光拡張子局装置、３１…シリアルコネクタ、３２…ＯＳ、３３…シリアルドライバ、３４…ミドルウエア、３５…アプリケーション、３６…ＣＰＲＩドライバ、３７…ＣＰＲＩ、３８…イーサネットドライバ、３９…イーサネットコネクタ、４１…子局制御部、４２…子局無線部、４３…子局光変換部、４４…子局光送受部、４５…子局モニタ出力部、４６…子局記憶部、５１…イーサネットケーブル、５２…イーサネットケーブル、５３…モニタ装置、５４…モニタ装置、１２１…シリアルモニタ、１５０…親局装置、１６０…子局装置、１７０…ＢＴＳ。
【図１】
2012205177.tif 000003
【図２】
2012205177.tif 000004
【図３】
2012205177.tif 000005
【図４】
2012205177.tif 000006
【図５】
2012205177.tif 000007
【図６】
2012205177.tif 000008
【図７】
2012205177.tif 000009
【図８】
2012205177.tif 000010